(57)【要約】【課題】  簡単な操作によって、確実に操作キーのキーロック設定を行う。【解決手段】  キーロック設定モードを実行すると、表示部にキーロック設定画面が表示される。キーロックしたいリモコンの操作キーを操作すると、キーロック設定画面に、操作キーに対する操作キー情報が表示される。他の操作キーを操作するたびに、それぞれの操作キー情報が順に表示される。画面を閉じると、表示された操作キー情報に対応する操作キーのキーロックが設定される。【選択図】  図３
2005159926.tif 000002
【特許請求の範囲】
【請求項１】
複数の操作キーを有するキー入力装置の前記操作キーからの入力に応じて操作キー情報を表示する表示手段と、表示されている前記操作キー情報に対応する前記操作キーのキーロックを設定する設定手段とを備えたことを特徴とするキーロック装置。
【請求項２】
キーロックされている操作キー情報が表示されているとき、キー入力装置の操作キーからの入力によって該操作キー情報の表示を消去する消去手段と、消去された前記操作キー情報に対応する前記操作キーのキーロック設定を解除する解除手段とを備えたことを特徴とする請求項１記載のキーロック装置。
【請求項３】
キー入力装置の複数の操作キーによる操作によって、表示部の映像表示を制御する電子機器であって、キーロック設定モードを実行するキーロック設定手段と、キーロック設定モード中に前記キー入力装置から入力された操作キーに対する操作キー情報を前記表示部に表示する表示手段と、表示されている前記操作キー情報に対応する操作キーのキーロックを設定する設定手段と、表示されている前記操作キー情報に対応する操作キーの入力によって前記操作キー情報を消去する消去手段と、消去された操作キー情報に対応する前記操作キーのキーロック設定を解除する解除手段とを備えたことを特徴とする電子機器。
【請求項４】
設定手段および解除手段は、操作キー情報が表示されている表示部の画面を閉じたときに、表示中の操作キー情報に基づいて操作キーのキーロック設定あるいは設定解除を行うことを特徴とする請求項３記載の電子機器。
【発明の詳細な説明】
【技術分野】
【０００１】
本発明は、電子機器を操作するためのリモートコントローラ（以下、リモコンと称する）や操作パネルの操作キーのキーロックを設定するキーロック装置に関する。
【背景技術】
【０００２】
テレビ装置や記録再生装置等の電子機器では、複数の操作キーを有するリモコンによって、遠隔操作される。電子機器の動作中に、リモコンが誤操作されると、その動作に支障をきたすことがある。そこで、誤操作を防ぐために、特定の操作キーからの入力に対して、その入力を無効にするキーロックを設定できる。
【０００３】
キーロック設定を行うには、例えば特許文献１に記載されているように、ＯＳＤのキー操作によって、表示装置に選択画面が呼び出されて表示される。この選択画面において、所定の項目を選択することにより、その項目に対応する操作キーのキーロックが設定される。
【特許文献１】特開平１１−８５３６５号公報
【発明の開示】
【発明が解決しようとする課題】
【０００４】
上記の設定方法では、表示を見ながら操作キーを操作して、複数の項目の中からキーロックしたい項目の位置を選択しなければならない。そのため、所望の位置を選択するための操作キーの操作が煩雑となる。しかも、画面に複数の項目が表示されるため、間違って選択するおそれがある。また、選択画面には複数の項目が表示されるが、表示された項目についてのみキーロック設定が行われる。この場合、操作キーが多数あるようなリモコンでは、表示されない項目があり、これらの項目に対応する操作キーのキーロックを行うことができない。
【０００５】
本発明は、上記に鑑み、簡単な操作によってキーロックしたい操作キーに対する設定を確実に行えるキーロック装置の提供を目的とする。
【課題を解決するための手段】
【０００６】
本発明は、複数の操作キーを有するキー入力装置の前記操作キーからの入力に応じて操作キー情報を表示する表示手段と、表示されている前記操作キー情報に対応する前記操作キーのキーロックを設定する設定手段とを備えたものである。
【０００７】
そして、キーロックされている操作キー情報が表示されているとき、キー入力装置の操作キーからの入力によって該操作キー情報の表示を消去する消去手段と、消去された前記操作キー情報に対応する前記操作キーのキーロック設定を解除する解除手段とを備える。
【０００８】
このように、キーロックの設定あるいは設定解除を行うとき、対象となる操作キーを直接操作することにより、その操作キーに対する操作キー情報が表示されたり、あるいは表示されている操作キー情報が消去される。したがって、視覚的に設定、解除の確認を行え、設定、解除の間違いがなくなる。
【０００９】
キー入力装置の複数の操作キーによる操作によって、表示部の映像表示を制御する電子機器にあっては、キーロック設定モードを実行するキーロック設定手段を備える。キーロック設定モードの実行中に、キー入力装置から入力された操作キーに対する操作キー情報が表示部に表示される。また、操作キーの入力によって、表示されている操作キー情報が消去される。
【００１０】
そして、設定手段および解除手段は、操作キー情報が表示されている表示部の画面を閉じたときに、表示中の操作キー情報に基づいて操作キーのキーロック設定あるいは設定解除を自動的に行う。すなわち、表示部の画面を閉じて、キーロック設定モードを終了するとき、最終的に表示されている操作キー情報に対応する操作キーに対しては、キーロックの設定が行われ、表示されていない操作キーに対しては、キーロックの設定がされない。
【発明の効果】
【００１１】
本発明によると、キーロックしたい操作キーを操作することにより、入力された操作キーに対する操作キー情報が表示される。したがって、表示を確認しながらキーロック設定を行うことができ、設定ミスを防止できる。しかも、所望の操作キーを操作するだけでキーロックの設定、解除を行えるので、操作が簡単である。
【発明を実施するための最良の形態】
【００１２】
本実施形態の電子機器としての記録再生装置を図１に示す。記録再生装置は、記録媒体１、チューナ２、映像音声処理部３、ＯＳＤ表示部４、映像表示部５、音声出力部６、音声発生部７、制御部８を備え、モニタ等の表示部９およびスピーカ１０が接続される。なお、表示部９およびスピーカ１０は、記録再生装置に内蔵されたものであってもよい。記録再生装置は、キー入力装置としてのリモコン１１の操作キー１２あるいは機器本体１３に設けられた操作パネル１４の操作キー１５の操作にしたがって動作する。
【００１３】
チューナ２は、選局されたチャンネルにおける地上波放送や衛星放送からの映像音声信号をアンテナ１６を通じて受信する。また、外部入力端子に接続されたケーブルネットワークあるいは外部機器からの映像音声信号が入力される場合もある。入力された映像音声信号は、所定の信号処理がされて、ビデオテープ、ハードディスク、ＤＶＤ等の記録媒体１に記録される。
【００１４】
映像音声処理部３は、外部から入力された映像音声信号あるいは記録媒体１から出力された映像音声信号を信号処理して、映像信号と音声信号に分離して出力する。映像表示部５は、出力された映像信号を画面表示できるように信号処理して表示部９に出力するとともに、ＯＳＤ表示部４から出力された映像信号があれば合成して出力する。音声出力部６は、出力された音声信号を増幅等してスピーカ１０に出力するとともに、音声発生部７によって作成された音声も出力する。表示部９の画面に映像が表示され、音声がスピーカ１０から出力される。
【００１５】
これらの記録、再生等の動作は、リモコン１１あるいは操作パネル１４から入力されたキー信号に基づき、制御部８が各部を制御することにより実行される。制御部８は、ＣＰＵ、ＲＯＭ、ＲＡＭを有するマイコンからなり、内蔵されたプログラムにしたがって装置全体の制御を行う。
【００１６】
リモコン１１は、チャンネルキー、再生キー、停止キー、録画キー等の複数の操作キー１２を有している。操作キー１２を操作すると、その操作キー１２に対応したキーコードを含むキー信号が赤外線等による無線信号として送信される。機器本体１３には、リモコン１１からの無線信号を受信する受信部１７が設けられている。操作パネル１４は、再生キー、停止キー、録画キー、チャンネルアップダウンキー等の操作キー１５を有している。
【００１７】
リモコン１１の操作キー１２および操作パネル１４の操作キー１５からの入力を受け付ける制御部８は、キー取得部２０、キー判別部２１、キーロック有無判別部２２、キーロック制御部２３、キーロック設定解除部２４、装置動作制御部２５を備えている。そして、制御部８は、リモコン１１の操作キー１２のうち、特定の操作キー１２に対して、その入力を無効にするキーロック機能を有している。このキーロック機能は、キー取得部２０、キー判別部２１、キーロック有無判別部２２、キーロック制御部２３、キーロック設定解除部２４によって実行される。すなわち、本記録再生装置は、キーロック装置を備えている。
【００１８】
キー取得部２０は、受信部１７あるいは操作パネル１４からのキー信号を受信し、外乱光によるノイズ信号を排除する。キー判別部２１は、キー信号に含まれるキーコードから操作キー１２の種別を判断する。キーロック有無判別部２２は、キーロック設定されている操作キー１２であるか否かを判別する。キーロック制御部２３は、キーロック設定されている操作キー１２からの入力であるとき、キーロックされていることを表示部９に表示したり、あるいは音声で報知するように、ＯＳＤ表示部４あるいは音声発生部７を制御する。また、その操作キー１２による動作を禁止するように装置動作制御部２５に指令する。キーロック設定解除部２４は、入力された操作キー１２に対するキーロックの設定および設定解除を行う。装置動作制御部２５は、入力された操作キー１２による動作を実行するように、各部に駆動信号を出力する。
【００１９】
キーロックの設定および解除は、キーロック設定モードを実行することにより行われる。このモード時、キーロック制御部２３は、入力された操作キー１２に対する操作キー情報を表示したり、表示されている操作キー情報を消去するようにＯＳＤ表示部４を制御する。操作キー情報とは、「再生」、「早送り」、「２チャンネル」といった操作キー１２の動作項目である。あるいは、操作キー１２に描かれている文字、記号、数字であってもよく、操作キー１２を識別できる画像であればよい。
【００２０】
次に、キーロック設定を行うときの制御部８の動作について説明する。まず、図２に示すように、リモコン１１を操作することにより、表示部９にメニュー画面が表示される。メニュー画面のキーロック設定モードを選択すると、制御部８は、キーロック設定モードを実行し、キーロック設定画面を表示する。なお、キーロック設定モードを実行する方法としては、複数の操作キー１２の同時押し、あるいは任意の操作キー１２の長押しによって実行するようにしてもよい。
【００２１】
キーロックしたいリモコン１１の操作キー１２が操作されると、リモコン１１からキー信号が機器本体１３に向かって送信される。キー信号が受信され、キー判別部２１は、入力されたキー信号中のキーコードによって操作キー１２の種別を判断する。キーロック設定モード中であるので、キーロック制御部２３は、ＯＳＤ表示部４および映像表示部５を制御して、図３に示すように、入力された操作キー１２に対する操作キー情報を表示部９に表示する。例えば、再生キーが操作されると、表示部９には「再生」と表示される。さらに、他の操作キー１２が操作されると、同様にして操作キー情報が表示される。例えば、録画キーが操作されると、「録画」が「再生」の次に表示される。このように、キーロックしたい操作キー１２を操作するたびに、操作キー情報の表示が追加される。
【００２２】
そして、キーロック設定画面を閉じると、キーロック設定解除部２４は、画面に表示されていた操作キー情報に対応する操作キー１２のキーロックを設定する。すなわち、キー判別部２１は、操作キー１２の判別結果をキーロック設定解除部２４に出力しており、キーロック設定解除部２４は、キーロックする操作キー１２を特定できる。操作キー１２に対するキーロック設定有りのデータがフラッシュメモリ等の不揮発性のメモリ２６に記憶される。
【００２３】
上記のように、キーロック設定画面を閉じたときに自動的にキーロックを設定する代わりに、図４に示すように、キーロック設定画面にオン／オフを表示する。オンが選択されたときに、表示されている操作キー１２に対するキーロックを一括して設定してもよい。また、図５に示すように、各操作キー情報に対応させてオン／オフを表示して、個別に設定できるようにしてもよい。なお、オフが選択されたときには、キーロックを設定しない。
【００２４】
キーロック設定中に、操作キー１２を間違って操作した場合、図６に示すように、その操作キー１２に対する操作キー情報が表示される。ここで、再度、同じ操作キー１２を操作すると、キーロック制御部２３は、２回目の入力であると判断して、表示されていた操作キー情報を消去する。また、図７に示すように、操作キー１２を順に操作して、複数の操作キー情報が表示されているとき、消去したい操作キー１２を操作すると、その操作キー情報が消去される。このとき、消去された操作キー情報よりも下位に表示されていた操作キー情報は、順に繰り上がって表示される。すなわち、画面上に表示あり、表示なしを交互に切り替えることができるトグル動作を利用することによって、キーロックしたい操作キー１２の追加、修正を行える。
【００２５】
記録再生装置が動作して、映像を表示しているとき、キーロック設定されている操作キー１２が操作されると、制御部８は、操作キー１２の種別を判断して、キーロック設定されているか判別する。キーロックされた操作キー１２であれば、図８に示すように、表示部９の画面に子画面としてキーロックされていることが表示される。このようにして、操作が無効であることをユーザに報知できる。表示する代わりに、音声によって報知してもよい。
【００２６】
キーロック設定を解除する場合、同様にキーロック設定モードを実行して、キーロック設定画面を表示する。キーロック制御部２３により、図９に示すように、キーロックされている操作キー１２に対する操作キー情報の一覧が表示される。解除したい操作キー１２を操作すると、キーロック制御部２３は、その操作キー１２に対する操作キー情報を消去する。キーロック設定画面を閉じると、キーロック設定解除部２４は、操作キー１２に対するキーロック設定を解除する。操作キー１２に対するキーロック設定なしのデータがメモリ２６に記憶される。なお、図５に示すように、キーロック設定画面に、操作キー情報ごとにオン／オフが表示されている場合、解除したい操作キー１２に対応するオフを選択すると、キーロック設定が解除される。
【００２７】
このようにして、キーロック設定モード中に、操作キー１２を直接操作すると、これに対する操作キー情報が表示あるいは消去される。画面を見て確認しながら、キーロックの設定、解除を行える。
【００２８】
なお、本発明は、上記実施形態に限定されるものではなく、本発明の範囲内で上記実施形態に多くの修正および変更を加え得ることは勿論である。上記実施形態では、リモコンの操作キーに対するキーロックの設定、解除を行っているが、同様に機器本体の操作パネルの操作キーに対するキーロックの設定、解除を行ってもよい。また、操作キーと表示部とが別々に設けられているリモコン付きの電子機器に限らず、操作キーと表示部とが一体的に設けられた電子機器、例えば携帯情報端末（ＰＤＡ）、携帯電話に上記のキーロック装置を適用してもよい。
【図面の簡単な説明】
【００２９】
【図１】本発明の記録再生装置の概略構成を示すブロック図
【図２】キーロック設定モードを選択するためのメニュー画面およびキーロック設定画面を示す図
【図３】操作キーが操作されたときのキーロック設定画面を示す図
【図４】他のキーロック設定画面を示す図
【図５】他のキーロック設定画面を示す図
【図６】キーロックしたい操作キーを修正するときのキーロック設定画面を示す図
【図７】キーロックしたい操作キーを修正するときの他のキーロック設定画面を示す図
【図８】キーロックを報知する画面を示す図
【図９】キーロックを解除するときのキーロック設定画面を示す図
【符号の説明】
【００３０】
８    制御部
９    表示部
１１    リモコン
１２、１５    操作キー
１４    操作パネル
２０    キー取得部
２１    キー判別部
２２    キーロック有無判定部
２３    キーロック制御部
２４    キーロック設定解除部
２５    装置動作制御部
【図１】
2005159926.tif 000003
【図２】
2005159926.tif 000004
【図３】
2005159926.tif 000005
【図４】
2005159926.tif 000006
【図５】
2005159926.tif 000007
【図６】
2005159926.tif 000008
【図７】
2005159926.tif 000009
【図８】
2005159926.tif 000010
【図９】
2005159926.tif 000011